(57)【要約】【課題】株価チャートを自作したい投資家は多いが、製図経験のない素人には、煩雑な株価チャートの作成は困難であった。適当な定規が市販されていない。【解決手段】Ｔ字形の長手方向に間隙があり、間隙の両縁に沿って平行線を画くＴ型定規と、直角四角形に開口した四角開口定規と共同させて、株価チャートを画く。【選択図】  図１６
2005212465.tif 000002
【特許請求の範囲】
【請求項１】
長手方向に単数または複数の間隙（１）があり、間隙（１）の両縁に沿って平行線を画くことを特徴とするＴ型定規。
【請求項２】
直角四角形に開口した外枠（１９）が、文鎮受け（２２）を構成する四角開口定規（１４）。
【請求項３】
直角Ｕ字形に開口した外枠（１９）が、文鎮受け（２２）を構成するＵ型定規（１５）。
【請求項４】
直角三角形の直角辺に平行に、単数または複数の間隙（１）があり、間隙（１）の両縁に沿って平行線を画くことを特徴とする三角間隙定規（１６）。
【発明の詳細な説明】
【発明の詳細な説明】
【技術分野】
【０００１】  この発明は、株価チャートの作成に使用する製図定規に関するものである
【背景技術】
【０００２】  特許公報Ｕ５９−７２４２  株式用罫線定規、Ｕ６０−９２０１９  株価チャートのロウソク足用定規、Ｕ６２−２０８８８  株価罫線グラフスケール等がある。
【発明が解決しようとする課題】
【０００３】  株価チャートを自作したい投資家は多いが、適当な製図定規が市販されていない。
【０００４】  本発明は、製図経験のない素人でも簡単に、正確に株価チャートが画ける製図定規を提供しようとするものである。
【課題を解決するための手段】
【０００５】
【０００６】図１。アクリル樹脂などのＴ型平板の中央長手方向に間隙１を切込んでＴ型間隙定規１０を作る。間隙１の両縁に目盛３をいれる。間隙１に通行自在にスライド２を嵌入する。図２  Ａ−Ａ断面、図３  Ｂ−Ｂ断面を示す。
【０００７】図４。図５。アクリル樹脂などのＴ型平板の底辺８を分断して中央長手方向に間隙１を切込む。Ｕ字状切欠き４のある底板６を、底辺８に段違いに重ね合せてＴ型片口定規１１を作る。間隙１の両縁に目盛３をいれる。間隙１に通行自在にスライド２を嵌入する。
【０００８】図６。図７。アクリル樹脂などで一対のＬ型平板９を作る。Ｌ型平板９を、間隙１を中心にして対称に並べる。Ｕ字状切欠き４のある天板５を上辺７に段違いに重ねる。底辺８に、Ｕ字状切欠き４のある底板６を段違いに重ねて、Ｔ型両口定規１２を作る。間隙１の両縁に目盛３をいれる。間隙１に通行自在にスライド２を嵌入する。
【０００９】図８。Ｔ型平板の底辺８を分断して長手方向に複数の間隙１を切り込む。複数のＵ字状切欠き４のある底板６を、底辺８に段違いに重ね合せてＴ型２列定規１７作る。間隙１の両縁に目盛３をいれる。間隙１に通行自在にスライド２を嵌入する。図９、Ｃ−Ｃ断面。図１０、Ｄ−Ｄ断面。
【００１０】図１１。直角四角形に開口した外枠１９が、文鎮受け２２の機能をもつ四角開口定規１４を作る。内周辺２０に適当間隔の目盛り３を入れる。図１５にＥ−Ｅ断面を示す。
【００１１】図１２。直角Ｕ字形に開口した外枠１９が、文鎮受け２２の機能もつＵ型定規１６を作る。内周辺２０に適当間隔の目盛り３を入れる。図１５にＥ−Ｅ断面を示す。
【００１２】図１３。製図用Ｔ型定規の中央長手方向に間隙１を切込んで、Ｔ型間隙製図定規１３を作る。間隙１の両縁に目盛３を入れ、通行自在にスライド２を嵌入する。
【００１３】図１４。直角三角定規の直角辺に平行に間隙１を切込んで、三角間隙定規１６を作る。間隙１の両縁に目盛３を入れ、通行自在にスライド２を嵌入する
【００１４】間隙１の幅は２．５ｍｍ幅、５ｍｍ幅等使用目的により異なるものを作る。
【発明実施の形態】
【００１５】  発明の実施の形態を実施例に基づき図面を参照して説明する。
【００１６】図１６。手順１。方眼紙２３平坦な場所に広げる。四角開口定規１４の内周辺２０を方眼紙の罫線に正確に合す。文鎮２１で押さえる。文鎮は１．５キロのものを４個使っている。Ｔ型片口定規１１の底辺８を四角開口定規１４の内周辺２０に合わせる。
手順２。Ｔ型片口定規１１の間隙１を、四角開口定規１４の当該日目盛３に合わせる。スライド２を始値２４、終値２５位置に合わせて記入する。間隙１の両縁に沿って始値２４〜終値２５間に平行線２６を記入する。ロウソク足の枠が完成する。
手順３。Ｔ型片口定規１１を横方向に１．２ｍｍ移動して、間隙１の片縁をロウソク足の中央に合わせる。高値線２７、安値線２８、出来高線２９を記入する。Ｔ型片口定規１１の底辺８が出来高線２９の０点になる。（図５、図１１、図２１参照。）
【００１７】図１７。Ｕ型定規１５とＴ型間隙定規１０の作図状態を示す。作図手順は図１６に同じである。
【００１８】Ｔ型両口定規１２、Ｔ型２列定規１７の作図手順は、図１６に示す作図手順と同じである。
【００１９】図１８。Ｔ型間隙製図定規１３と製図板３１の作図状態を示す。株価チャートの作図手順は図１６に準ずる。Ｔ型間隙製図定規１３は通常のＴ型定規としても作図できる。
【００２０】図１９。三角間隙定規１６と四角開口定規１４の作図状態を示す。株価チャートの作図手順は図１６に準ずる
【００２１】図２０。ドラフター１８とＴ型間隙定規１０の作図状態を示す。株価チャートの作図手順は図１６に準ずる。
【００２２】Ｔ型間隙定規１０、Ｔ型片口定規１１、Ｔ型両口定規１２、Ｔ型間隙製図定規１３と、四角開口定規１４、Ｕ型定規１５の組み合わせは自由である。
【発明の効用】
【００２３】  本発明は上述のとおり構成されているので、次に記載する効果がある。
【００２４】四角開口定規１４、Ｕ型定規１５は文鎮２２と共同で製図紙を固定する。マグネットテープ３０の機能がある。食卓、座卓、勉強机等に方眼紙２３を固定して作図できる。専用の製図板、製図機器がなくても株価チャートが画ける。
【００２５】四角開口定規１４、Ｕ型定規１５は製図機のドラフター１８の機能がある。Ｔ型定規や三角定規を任意の位置に正確に誘導して固定する。
【００２６】Ｔ型片口定規１１、Ｔ型両口定規１２、Ｔ型２列定規１７の間隙１は、それぞれ底辺８で開口している。底辺８が四角定規１４、Ｕ型定規１５の内周辺２０に接触して、出来高線２９の作図基準線となる。底辺８を０点として、出来高線２９が簡単に正確に画ける。
【００２７】Ｔ型定規１０，１１，１２，１７の間隙１の幅が決まっているので、均一の美しいロウソク足が簡単に画ける。
【００２８】Ｔ型間隙製図定規１３は、通常の製図板３１と共同して株価チャートを画く事が出来る。通常の製図用Ｔ型定規としても使用できる。
【００２９】Ｂ２方眼紙（５００×７００）ｍｍを標準サイズにしてチャートを画いている。横長方向で２８０日、縦長方向で２００日の日足チャートが画ける。株価の変動に応じて四角開口定規１４、Ｕ型定規１５を任意の位置に移動して作図する。Ｂ１方眼紙（７００×１０００）にも画ける。金額欄は１ｍｍ角を１０円、１００円、１０００円と自由に設定できる。市販のチャート、パソコン画面では表現できない精密な見やすいチャートが自作できる。
【００３０】構造が簡単であるから、操作も簡単である。製図経験のない素人でも簡単にチャートが画ける。株価チャートを画くことで、株価変動の循環サイクルが自然に理解できてくる。投資初心者の基礎知識学習に最適である。
【００３１】日足チャートの画面に、日足移動平均線と週足移動平均線が画ける。日足兼用週足チャートが画ける。従来のチャートに見られない新しい機能である。
【００３２】株価チャートの作図以外に、棒グラフの作図に応用できる。
【００３３】四角開口定規１４は簡単な製図に応用できる。本出願の図面は全て四角開口定規１４を使用して画いた。
【図面の簡単な説明】
【図１】Ｔ型間隙定規１０の斜視図である。
【図２】図１、図４、図６、図１３のＡ−Ａ断面図である。
【図３】図１、図５、図７、図１３のＢ−Ｂ断面図である。
【図４】Ｔ型片口定規１１の分解斜視図である。
【図５】Ｔ型方口定規１１の組立斜視図である。
【図６】Ｔ型両口定規１２の分解斜視図である。
【図７】Ｔ型両口定規１２の組立図斜視図である。
【図８】Ｔ型２列定規１７の斜視図である。
【図９】図８のＣ−Ｃ断面図である。
【図１０】図８のＤ−Ｄ断面図である。
【図１１】四角開口定規１４の斜視図である。
【図１２】Ｕ型定規１５の斜視図である。
【図１３】Ｔ型間隙製図定規１３の斜視図である。
【図１４】三角間隙定規１６の斜視図である。
【図１５】図１１、図１２のＥ−Ｅ断面図である。
【図１６】四角開口定規１４とＴ型片口定規１１の作図状態を示す斜視図である。
【図１７】Ｕ型定規１５とＴ型間隙定規１０の作図状態を示す斜視図である。
【図１８】製図板３１とＴ型間隙製図定規１３の作図状態を示す斜視図である。
【図１９】四角開口定規１４と三角間隙定規１６の作図状態を示す斜視図である。
【図２０】ドラフター１８とＴ型間隙定規１０の作図状態を示す斜視図である。
【図２１】ロウソク足の説明図である。
【図２２】実物大チャートの部分抜粋図である。
【符号の説明】
Ａ−Ａ    Ｔ型間隙定規の間隙を示す断面図
Ｂ−Ｂ    Ｔ型間隙定規のスライド嵌入部を示す断面図
Ｃ−Ｃ    Ｔ型２列定規の間隙を示す断面図
Ｄ−Ｄ    Ｔ型２列定規のスライド嵌入部を示す断面図
Ｅ−Ｅ      四角開口定規とＵ型定規の外枠の断面図
１    間隙                        ２    スライド
３    目盛                        ４    Ｕ字状切欠き期
５    天板                        ６    底板
７    上辺                        ８    底辺
９    Ｌ型平板                  １０    Ｔ型間隙定規
１１    Ｔ型片口定規              １２    Ｔ型両口定規
１３    Ｔ型間隙製図定規          １４    四角開口定規
１５    Ｕ型定規                  １６    三角間隙定規
１７    Ｔ型２列定規              １８    ドラフター
１９    外枠                      ２０    内周辺
２１    文鎮                      ２２    文鎮受け
２３    方眼紙                    ２４    始値
２５    終値                      ２６    平行線
２７    高値線                    ２８    安値線
２９    出来高線                  ３０    マグネットテープ
３１    製図板
【図１】
2005212465.tif 000003
【図２】
2005212465.tif 000004
【図３】
2005212465.tif 000005
【図４】
2005212465.tif 000006
【図５】
2005212465.tif 000007
【図６】
2005212465.tif 000008
【図７】
2005212465.tif 000009
【図８】
2005212465.tif 000010
【図９】
2005212465.tif 000011
【図１０】
2005212465.tif 000012
【図１１】
2005212465.tif 000013
【図１２】
2005212465.tif 000014
【図１３】
2005212465.tif 000015
【図１４】
2005212465.tif 000016
【図１５】
2005212465.tif 000017
【図１６】
2005212465.tif 000018
【図１７】
2005212465.tif 000019
【図１８】
2005212465.tif 000020
【図１９】
2005212465.tif 000021
【図２０】
2005212465.tif 000022
【図２１】
2005212465.tif 000023
【図２２】
2005212465.tif 000024
【手続補正書】
【提出日】平成16年11月4日(2004.11.4)
【手続補正２】
【補正対象書類名】明細書
【補正対象項目名】請求項２
【補正方法】削除
【補正の内容】
【手続補正３】
【補正対象書類名】明細書
【補正対象項目名】請求項３
【補正方法】削除
【補正の内容】
【手続補正４】
【補正対象書類名】明細書
【補正対象項目名】請求項４
【補正方法】削除
【補正の内容】